(57)【特許請求の範囲】
【請求項１】
本体と、本体の一端側に設けられるドリルチャックと、本体の他端側に設けられるハンドルと、ドリルチャックに基端側が着脱自在に固定されるドリルビットと、を具備するピストルグリップ式の電動ドリルと、
前記電動ドリルの本体に着脱自在に装着され、被検体である円柱状コンクリート柱の円弧状表面に電動ドリルの本体を支持し、被検体の円弧状表面への前記ドリルビットの穿孔方向と穿孔深さを規制するガイド部材組立体とを具備し、
前記ガイド部材組立体は、前記電動ドリルの本体を把持するクランプ部材と、このクランプ部材に固定され先端側に前記ドリルビットの先端側を所定長さ突出させるように前記ドリルチャックと前記ドリルビットとを相対回転自在に貫通させる貫通部を有するビットカバー組立体と、当該ビットカバー組立体の貫通部を中心にそれの四囲を等距離で囲むように配置されそれぞれ前記ビットカバー組立体から前記ドリルビットの軸線方向に伸縮自在に延出して先端が被検体の円弧状表面へ押し当てられる４つの支持脚を有する伸縮脚組立体と、を具備し、
前記ビットカバー組立体は、基端側が前記クランプ部材に固定される筒状のカバー本体と、当該カバー本体の先端側に前記ドリルビットの突出長さを変更できるようにドリルビットの軸線方向の相対位置を調整自在に螺合される調整ヘッドと、を具備し、
前記伸縮脚組立体の４つの支持脚は、前記ビットカバー組立体に対して前記ドリルビットの軸線方向にそれぞれ等距離を保って一体に伸縮するように設けられることを特徴とする円柱状コンクリート柱の中性化測定用ドリル装置。
【請求項２】
前記伸縮脚組立体は、前記カバー本体を中心にそれの四囲を囲むように前記クランプ部材から前記ドリルビットの軸線方向に延出する４本のガイドピンと、これらのガイドピンをそれぞれ軸線方向摺動自在に受け入れ当該ガイドピンの先端との間にばねを保持して互いに一体に結合された前記支持脚としての４本の支柱シリンダとを具備し、
前記支柱シリンダの先端には、被検体コンクリート面へ押し当てられる尖端部が形成されることを特徴とする請求項１に記載の円柱状コンクリート柱の中性化測定用ドリル装置。
【請求項３】
前記クランプ部材は、前記電動ドリル本体の前端部外周を包囲するように固定され、
前記カバー本体は、前記ドリルチャックの外周を間隔を置いて包囲する大径筒部と、この大径筒部の先端側に連続して前記ドリルビットの外周を間隔を置いて包囲する小径筒部と、大径筒部の基端側外周に拡がり四隅部に前記ガイドピンの基端側を螺合させるねじ孔を有する取り付け板部と、小径筒部の先端側外周に形成される雄ねじ部とを具備し、取り付け板部において前記クランプ部材にねじ止めされ、
前記調整ヘッドは、前記カバー本体の雄ねじ部に軸線方向の相対位置を調整自在に螺合する雌ねじ部を内周に有する接続筒部を具備し、
前記ガイドピンは、基端部に前記取り付け板部のねじ孔に螺合固定されるねじ部を有する小径部と、この小径部の先端側に段部を介して連続する大径部とを具備し、
前記支柱シリンダは、前記ガイドピンの大径部を摺動自在に受け入れるシリンダ本体と、前記ガイドピンの小径部を貫通させ大径部を抜け止めするようにシリンダ本体の基端側に螺合固定される蓋リングとを具備し、前記調整ヘッドを自由に挿通させる開口を中央に有する連結板により先端側において互いに一体に結合されることを特徴とする請求項２に記載の円柱状コンクリート柱の中性化測定用ドリル装置。
【請求項４】
前記クランプ部材には、一方の手で前記電動ドリル本体の先端側を支持するためのグリップ部材が取り付けられることを特徴とする請求項１ないし３のいずれかに記載の円柱状コンクリート柱の中性化測定用ドリル装置。
【請求項５】
本体と、本体の一端側に設けられるドリルチャックと、本体の他端側に設けられるハンドルと、ドリルチャックに基端側が着脱自在に固定されるドリルビットと、を具備するピストルグリップ式の電動ドリルに着脱自在に取り付けられるガイド装置であって、
前記電動ドリルの本体を把持するクランプ部材と、
このクランプ部材に固定され、先端側に前記ドリルビットの先端部を所定長さ突出させるように前記ドリルチャックと前記ドリルビットとを相対回転自在に貫通させる貫通部を有するビットカバー組立体と、
前記ビットカバー組立体の貫通部を中心にそれの四囲を等距離で囲むように配置されそれぞれ前記ビットカバー組立体から前記ドリルビットの軸線方向に伸縮自在に延出する伸縮脚組立体と、を具備し、
前記ビットカバー組立体は、基端側が前記クランプ部材に固定される筒状のカバー本体と、当該カバー本体の先端側に前記ドリルビットの突出長さを変更できるようにドリルビットの軸線方向の相対位置を調整自在に螺合される調整ヘッドと、を具備し、
前記伸縮脚組立体は、先端が被検体である円柱状コンクリート柱の円弧状表面へ押し当てられる４つの支持脚を有し、
これら４つの支持脚は、前記ビットカバー組立体に対して前記ドリルビットの軸線方向にそれぞれ等距離を保って一体に伸縮するように設けられることを特徴とする円柱状コンクリート柱の中性化測定用ドリルのガイド装置。
【発明の詳細な説明】
【技術分野】
【０００１】
本発明は、コンクリート構造物の中性化深さを測定するためのドリル孔を形成するドリル装置に関する。
【背景技術】
【０００２】
従来、コンクリート構造物の中性化深さをドリル孔を利用して測定する方法が特許文献１に提案されている。この方法は、ドリルによりコンクリート構造物の表面から所定深さに削孔し、このドリル孔の内表面にフェノールフタレイン溶液を付着させて非中性化部分を発色させ、ハンドライトによってドリル孔の内部を照射すると共に、ドリル孔内にノギスを挿入してフェノールフタレイン溶液の発色部と非発色部との境界の位置からコンクリート構造物の表面までの距離を測定して中性化深さを求めるものである。
一方、回転ドリル工具における垂直孔穿設用補助具として、特許文献２に記載されたものが提案されている。この補助具は、回転ドリル工具に付設する止着部を設け、この止着部に取付枠を固定し、この取付枠に回転ドリル工具の先端に着脱自在に装着されるドリル刃の軸芯と平行に支承杆を設け、支承杆に対し取付枠を摺動可能に設け、支承杆に発条を被嵌して止着部を支承杆に対して一方向に摺動させた際該止着部が該発条の復元力により復帰動するように設け、支承杆の先端に支承杆と直交する当接板を付設し、該当接板にドリル刃の先端が貫挿される窓孔を設け、ドリル刃が被加工物に入り込んでいく際ドリル刃の被加工物に対する進入を阻止するストッパー杆を支承杆と平行に設け、ドリル刃の先端とストッパー杆の先端との差を測定する測定杆をストッパー杆及びドリル刃と平行にして摺動自在に設けたものである。
【先行技術文献】
【特許文献】
【０００３】
【特許文献１】特開２０１０−２３０３８３号公報
【特許文献２】実開平４−８６１０８号公報
【発明の概要】
【発明が解決しようとする課題】
【０００４】
上記従来のコンクリート構造物の中性化深さを測定するためのドリル孔を形成する装置として、上記従来の垂直孔穿設用補助具を用いようとする場合、被検体であるコンクリート構造物の表面が平面であるときは、適切な穿孔ができるが、被検体がコンクリート柱のような曲面を持つものであるときには、当接板が曲面に対して定位置に固定できず、ドリルビットの進入角度が定まらないという問題点がある。
したがって、本発明は、被検体の表面が平面であっても、曲面であっても、表面に対して垂直に穿孔することができる、コンクリート構造物の中性化深さ測定専用のドリル装置を提供することを目的としている。
【課題を解決するための手段】
【０００５】
以下、添付図面の符号を参照して説明するが、本発明はこれに限定されるものではない。
上記課題を解決するための、本発明のドリル装置１は、電動ドリル２と、電動ドリル２の本体４に着脱自在に装着されるガイド部材組立体３とを具備する。ガイド部材組立体３は、被検体コンクリート面に電動ドリル２の本体４を支持し、被検体コンクリートへのドリルビット７の穿孔方向と穿孔深さ規制する。ガイド部材組立体３は、電動ドリル２の本体４を把持するクランプ部材８と、ドリルチャック５とドリルビット７とを相対回転自在に貫通させるビットカバー組立体９と、ドリルビット７の軸線方向に伸縮自在に延出して先端が被検体コンクリート面へ押し当てられる伸縮脚組立体１０とを具備する。ビットカバー組立体９は、基端側がクランプ部材８に固定される筒状のカバー本体１５と、カバー本体１５の先端側にドリルビット７の突出長さを変更できるように相対位置を調整自在に螺合される調整ヘッド１６とを具備する。伸縮脚組立体１０は、ビットカバー組立体９を中心にそれの四囲を囲むようにクランプ部材８からドリルビット７の軸線方向に伸縮自在に延出する４つの支持脚２６を有する。
【発明の効果】
【０００６】
本発明のドリル装置によれば、コンクリート柱のように表面が曲面である被検体に対しても、４つの支持脚の先端が当接すれば、確実にその表面に対して所望深さの垂直の孔を開けることができる。
【図面の簡単な説明】
【０００７】
【図１】本発明に係るドリル装置の正面図である。
【図２】図１のドリル装置の側面図である。
【図３】図１のドリル装置の一部の平面図である。
【図４】図１のドリル装置におけるガイド部材組立体の正面図である。
【図５】図１のドリル装置の分解斜視図である。
【発明を実施するための形態】
【０００８】
図面を参照して本発明の実施の形態を説明する。
ドリル装置１は、電動ドリル２と、電動ドリル２に着脱自在に装着されるガイド部材組立体３とを具備する。
【０００９】
電動ドリル２は、ピストルグリップ式のもので、本体４と、本体４の一端側に設けられるドリルチャック５と、本体４の他端側に設けられるハンドル６と、ドリルチャック５に着脱自在に固定されるドリルビット７とを具備する。
【００１０】
ガイド部材組立体３は、被検体であるコンクリート構造物Ｓの表面に電動ドリル２の本体４を支持し、被検体Ｓへのドリルビット７の穿孔方向と穿孔深さを規制する。ガイド部材組立体３は、クランプ部材８と、ビットカバー組立体９と、伸縮脚組立体１０とを具備する。
【００１１】
クランプ部材８は、本体４の円柱形先端部４ａを上下に把持する上部材１１と下部材１２とを具備する。下部材１２からは、一方の手で前記電動ドリル本体４の先端側を支持するためのグリップ部材１３が延出する。上下部材１１，１２間は、ねじ１４で締め付けられる。
【００１２】
ビットカバー組立体９は、それぞれ概略筒状のカバー本体１５と調整ヘッド１６とを具備する。ビットカバー組立体９は、ドリルチャック５とドリルビット７とを相対回転自在に貫通させるように、カバー本体１５の基端側においてクランプ部材８に固定される。調整ヘッド１６は、カバー本体１５の先端側に、ドリルビット７の突出長さを変更できるように、相対位置を調整自在に螺合される。
【００１３】
カバー本体１５は、大径筒部１７と、小径筒部１８と、取り付け板部１９とを具備する。大径筒部１７は、ドリルチャック５の外周を間隔を置いて包囲する。小径筒部１８は、大径筒部１７の先端側に連続し、ドリルビット７の外周を間隔を置いて包囲する。小径筒部１８の外周には、雄ねじ部１８ａが形成される。取り付け板部１９は、大径筒部１７の基端側外周にほぼ矩形状に拡がり、四隅部にガイドピン２７の基端側を螺合させるねじ孔２１を有する。カバー本体１５は、取り付け板部１９において、フランジ付きブッシング２３を介して、クランプ部材８にねじ２０で固定される。
【００１４】
調整ヘッド１６は、接続筒部２４と、それの先端の内側フランジ部２５とを具備する。接続筒部２４の内周には、カバー本体１７の雄ねじ部１８ａに軸線方向の相対位置を調整自在に螺合する雌ねじ部２４ａを具備する。
【００１５】
伸縮脚組立体１０は、ビットカバー組立体９を中心に、それの四囲を囲むようにクランプ部材８からドリルビット７の軸線方向に伸縮自在に延出する４つの支持脚２６を有する。支持脚２６は、４本のガイドピン２７と、これらのガイドピン２７をそれぞれ軸線方向摺動自在に受け入れる４本の支柱シリンダ２８とを具備する。
【００１６】
ガイドピン２７は、小径部２９と、この小径部２９の先端側に段部３０を介して連続する大径部３１とを具備する。小径部２９の基端部に取り付け板部１９のねじ孔２１に螺合固定されるねじ部３２を有する。
【００１７】
支柱シリンダ２８は、シリンダ本体３３と、蓋リング３４とを具備し、先端側において連結板３６により、互いに一体に結合される。シリンダ本体３３は、内部にばね３５を保持して先端が閉塞し、ガイドピン２７の大径部３１を摺動自在に受け入れる。蓋リング３４が、シリンダ本体３３の基端側に螺合固定される。蓋リング３４は、ガイドピン２７の小径部２９を自由に貫通させ、大径部３１を抜け止めする。支柱シリンダ２８の先端には、被検体コンクリート面へ押し当てられる尖端部３７が形成される。連結板３６は、調整ヘッド１６を自由に挿通させる開口３８を中央に有する。
【００１８】
ドリル装置１を用いてコンクリート構造物Ｓの中性化を測定するための所定深さの孔を開ける場合には、調整ヘッド１６をカバー本体１５に対して螺合調整して、ドリルビット７の突出長さを適宜設定する。ハンドル６とグリップ部材１３を握って、４つの支柱シリンダ２８の尖端部３７をコンクリート構造物Ｓの面に当接させることにより、ドリルビット７を面に垂直に配置する。構造物Ｓの面が湾曲面であっても、容易にドリルビット７を位置決めすることができる。尖端部３７がコンクリート構造物Ｓの表面に食い込むので、孔開け作業中、ドリル装置１をコンクリート構造物Ｓに安定して固定することができる。ドリルビット７がコンクリート構造物Ｓに対して、その突出長さ分だけ穿孔すると、調整ヘッド１６の先端がコンクリート構造物Ｓの表面に当接するので、常に一定深さの孔を容易に形成することができる。
【符号の説明】
【００１９】
１      ドリル装置
２      電動ドリル
３      ガイド部材組立体
４      ドリル本体
４ａ    円柱形先端部
５      ドリルチャック
６      ハンドル
７      ドリルビット
８      クランプ部材
９      ビットカバー組立体
１０    伸縮脚組立体
１１    上部材
１２    下部材
１３    グリップ部材
１４    ねじ
１５    カバー本体
１６    調整ヘッド
１７    大径筒部
１８    小径筒部
１９    取り付け板部
２０    ねじ
２１    ねじ孔
２３    フランジ付きブッシング
２４    接続筒部
２４ａ  雌ねじ部
２５    内側フランジ部
２６    支持脚
２７    ガイドピン
２８    支柱シリンダ
２９    小径部
３０    段部
３１    大径部
３２    ねじ部
３３    シリンダ本体
３４    蓋リング
３５    ばね
３６    連結板
３７    尖端部
３８    開口
Ｓ      コンクリート構造物
【図１】
0006468912.tif 000002
【図２】
0006468912.tif 000003
【図３】
0006468912.tif 000004
【図４】
0006468912.tif 000005
【図５】
0006468912.tif 000006